(57)【要約】【課題】従来の第２の遊技盤に比して十分な広さを有して奥行きのある転動領域を備えるようにした遊技機を提供する。【解決手段】パチンコ機１では、遊技領域３５ａに、該遊技領域３５ａの奥方向に膨出して全体的に略々ドーム形状をなすステージ１４を備えている。このように奥行きをもった盤面構造を実現したことで、遊技球の通過領域が広がり、また、打ち出された遊技球の流れる方向が、従来のような上方から下方への流れだけでなく斜め方向も加わることで、遊技球の盤面滞在時間が長くなって遊技性が向上すると共に、新奇な遊技球の動きが実現されて興趣が一層高まる。【選択図】図１
2008220591.tif 000002
【特許請求の範囲】
【請求項１】
遊技盤に設けられた遊技領域と、該遊技領域に遊技球を打ち出す発射装置と、を備えてなる遊技機において、
前記遊技領域に、該遊技領域の奥方向に膨出した状態で遊技球の転動が可能な転動領域を備えてなる、
ことを特徴とする遊技機。
【請求項２】
前記転動領域が、全体的に略々ドーム形状をなすステージである、
請求項１記載の遊技機。
【請求項３】
前記ステージは、前記発射装置から発射された遊技球を受ける上面が湾曲状に形成され、かつ該上面から流下する遊技球を更に流下させる下面が平坦状に形成されてなる、
請求項２記載の遊技機。
【請求項４】
前記ステージは、前記発射装置から発射された遊技球を受ける上面、及び該上面から流下する遊技球を更に流下させる下面の双方が湾曲状に形成されてなる、
請求項２記載の遊技機。
【請求項５】
一般入賞口、始動入賞口、大入賞口及び障害物等の遊技部品を前記転動領域の略々全域に有してなる、
請求項１ないし４の何れか１項記載の遊技機。
【請求項６】
始動入賞口及び大入賞口等の遊技部品を、前記遊技領域の前記転動領域の下方に有してなる、
請求項１ないし４の何れか１項記載の遊技機。
【請求項７】
前記遊技機は、複数の牌種からなる麻雀牌の図柄に対応する複数の入球口を前記転動領域の下方に備え、該転動領域に打ち出された遊技球の前記入球口への入球で得られた手牌図柄の組合せにより、予め設定された複数の上がり役のうちの少なくとも１つを完成させるように遊技し得る雀球遊技機である、
請求項１ないし６の何れか１項記載の遊技機。
【発明の詳細な説明】
【技術分野】
【０００１】
本発明は、パチンコ機や雀球遊技機等の遊技機に係り、詳しくは、打ち出した遊技球の動きに新奇な変化を与え得るようにした遊技機に関する。
【背景技術】
【０００２】
遊技機、例えばパチンコ機として、打ち出された遊技球が導かれる主の遊技盤面と、該主の遊技盤面とは異なる遊技盤面とを備えたものが知られている（特許文献１参照）。
【０００３】
上記特許文献１に記載のパチンコ機は、遊技者によって打ち出された遊技球を落下させる上記主の遊技盤面として機能する第１の遊技盤と、該第１の遊技盤とは異なるように配置された第２の遊技盤とを備えることで、遊技球の落下による進行方向を立体的に変化させ、興趣を高めるように構成されている。また、第２の遊技盤を第１の遊技盤に対して傾斜させることにより、第１の遊技盤に沿って落下する遊技球の落下速度と、第２の遊技盤に沿って落下する遊技球の落下速度とを異ならせることで、興趣を高めている。
【０００４】
【特許文献１】特開昭５５−５８１８４号公報
【発明の開示】
【発明が解決しようとする課題】
【０００５】
ところで、上記特許文献１に記載のパチンコ機では、遊技盤の略々全体を占める第１の遊技盤における中央部の僅かなスペースに、後方に傾斜するように第２の遊技盤を設け、第１の遊技盤に配置した回転円盤の切欠きに入球した遊技球を第２の遊技盤に落下させ、該遊技球が、第２の遊技盤上を第１の遊技盤とは異なる状態で流下するように構成している。しかし、第１の遊技盤とは趣向の異なる第２の遊技盤の面積が狭いため、遊技上の迫力に欠け、より高い興趣を求めるには不十分であった。
【０００６】
そこで本発明は、従来の第２の遊技盤に比して十分な広さを有して奥行きのある転動領域を備えるように構成し、もって上述した課題を解決した遊技機を提供することを目的とするものである。
【課題を解決するための手段】
【０００７】
請求項１に係る本発明は（例えば図１ないし図７参照）、遊技盤（３５）に設けられた遊技領域（３５ａ）と、該遊技領域（３５ａ）に遊技球を打ち出す発射装置（１５）と、を備えてなる遊技機（１，６７）において、
前記遊技領域（３５ａ）に、該遊技領域（３５ａ）の奥方向に膨出した状態で遊技球の転動が可能な転動領域（１４）を備えてなる、
ことを特徴とする遊技機にある。
【０００８】
請求項２に係る本発明は（例えば図１、５ないし図７参照）、前記転動領域が、全体的に略々ドーム形状をなすステージ（１４）である、
請求項１記載の遊技機にある。
【０００９】
請求項３に係る本発明は（例えば図１及び図２参照）、前記ステージ（１４）が、前記発射装置（１５）から発射された遊技球を受ける上面（１４ａ）が湾曲状に形成され、かつ該上面（１４ａ）から流下する遊技球を更に流下させる下面（１４ｂ）が平坦状に形成されてなる、
請求項２記載の遊技機にある。
【００１０】
請求項４に係る本発明は（例えば図６参照）、前記ステージ（１４）が、前記発射装置（１５）から発射された遊技球を受ける上面（１４ａ）、及び該上面（１４ａ）から流下する遊技球を更に流下させる下面（１４ｂ）の双方が湾曲状に形成されてなる、
請求項２記載の遊技機にある。
【００１１】
請求項５に係る本発明は（例えば図１参照）、一般入賞口（２７，２８，２９）、始動入賞口（２３）、大入賞口（３４）及び障害物（２５，２６）等の遊技部品を前記転動領域（１４）の略々全域に有してなる、
請求項１ないし４の何れか１項記載の遊技機にある。
【００１２】
なお、本発明における上記「遊技部品」としては、上記始動入賞口、上記大入賞口及び障害物に加え、アウト口、風車、障害釘、スルーゲートが挙げられる。
【００１３】
請求項６に係る本発明は（例えば図５参照）、始動入賞口（４０）及び大入賞口（４９）等の遊技部品を、前記遊技領域（３５ａ）の前記転動領域（１４）の下方に有してなる、
請求項１ないし４の何れか１項記載の遊技機にある。
【００１４】
なお、本発明における上記「遊技部品」としては、上記始動入賞口及び大入賞口に加え、アウト口、風車、障害釘、スルーゲートが挙げられる。
【００１５】
請求項７に係る本発明は（例えば図６参照）、前記遊技機が、複数の牌種からなる麻雀牌の図柄に対応する複数の入球口（９９…）を前記転動領域（１４）の下方に備え、該転動領域（１４）に打ち出された遊技球の前記入球口（９９…）への入球で得られた手牌図柄の組合せにより、予め設定された複数の上がり役のうちの少なくとも１つを完成させるように遊技し得る雀球遊技機（６７）である、
請求項１ないし６の何れか１項記載の遊技機にある。
【００１６】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１７】
請求項１に係る本発明によると、遊技領域の奥方向に膨出した状態で遊技球の転動が可能な転動領域を備えるので、奥行きをもった盤面構造を実現することができ、遊技球の通過領域が広がり、また、打ち出された遊技球の流れる方向が、従来のような上方から下方への流れだけでなく斜め方向も加わることで、遊技球の盤面滞在時間が長くなって遊技性が向上すると共に、新奇な遊技球の動きが実現されて興趣が一層高まる。
【００１８】
請求項２に係る本発明によると、転動領域が全体的に略々ドーム形状をなすステージからなるので、射出成型等による製造工程が極めて容易になり、コストダウンも図ることができるようになる。
【００１９】
請求項３に係る本発明によると、ステージにおける上面が湾曲状に形成され且つ下面が平坦状に形成されるので、上面にて滑らかに流れる遊技球を平坦状の下面で受けて更に流下させることで、遊技球の流れ状態に変化をもたせることができる。
【００２０】
請求項４に係る本発明によると、ステージにおける上面及び下面の双方が湾曲状に形成されるので、上面にて滑らかに流れる遊技球を、同様に湾曲状の下面で受けて流下させることで、全体的に滑らかな遊技球の流れ状態を実現することができる。
【００２１】
請求項５に係る本発明によると、一般入賞口、始動入賞口、大入賞口及び障害物等の遊技部品を転動領域の略々全域に有するので、転動領域に打ち出された遊技球に様々な変化を与えつつ流下させることができ、一般的なパチンコ機として機能する遊技機を得ることができる。
【００２２】
請求項６に係る本発明によると、始動入賞口及び大入賞口等の遊技部品を遊技領域の転動領域下方に有するので、転動領域上で一連の動作をさせた遊技球のうち、転動領域から流下した遊技球を始動入賞口に入賞させたり、大入賞口に入賞させたりといった、一般的なパチンコ機としての機能をもたせることができる。
【００２３】
請求項７に係る本発明によると、遊技機が雀球遊技機であるので、転動領域に必要な奥行きを、通常のパチンコ機に比して十分に確保することができ、遊技球の滞空時間（転動時間）を一層長くすることができる。
【発明を実施するための最良の形態】
【００２４】
＜第１の実施形態＞
本第１の実施形態、及び後述する第２の実施形態では、本発明に係る遊技機を、所謂第１種特別電動役物を使用したパチンコ機として述べるが、本発明はこれに限らず、所謂第２種特別電動役物や所謂第３種特別電動役物等を使用したパチンコ機にも適用可能であることは勿論である。
【００２５】
図１は、本第１の実施形態におけるパチンコ機１の外部構造を示す正面図である。本パチンコ機１は、同図に示すように、発射操作装置２の操作による発射装置１５（図３参照）の作動で遊技球（所謂パチンコ玉）を遊技盤３５の遊技領域３５ａに向かって打ち出しつつ遊技を行うもので、所謂確率変動等の大当たりが発生した状態でアタッカー３４に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２６】
本パチンコ機１は、開口を有する枠体状の筐体６と、遊技盤３５を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３５が配設されている。前扉７における遊技盤３５の左右には演出用照明装置１１が配設されており、前扉７における上部左右、及び下部の皿ユニット１６の左右には、スピーカー（図示せず）を有する放音装置１２がそれぞれ配設されている。そして、前扉７の上部における放音装置１２の間には、演出用照明装置８が配設されている。また、ガラス枠１０における中央部右方には、施錠装置１３が配設されている。
【００２７】
そして、前扉７における下部中央には皿ユニット１６が設けられており、該皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央下部には、皿ユニット１６上の遊技球を下方に排出するための球抜きボタン２０が配設されている。また、前扉７における皿ユニット１６の右方下部の前壁部７２には、発射装置１５を操作して、遊技球を遊技盤３５に向けて打ち出すための発射操作装置２が設けられている。更に、皿ユニット１６の下部左方には灰皿２１が配設されている。
【００２８】
また、遊技領域３５ａの略々全域にステージ１４が配設されている。該ステージ１４は、遊技領域３５ａの奥方向に膨出して全体的に略々ドーム形状を呈しており、発射装置１５から発射された遊技球を受ける上面１４ａが湾曲状に形成され、かつ該上面１４ａから流下する遊技球を更に流下させる下面１４ｂが平坦状に形成されている。ステージ１４における上面１４ａと下面１４ｂとが交わる部分には、液晶パネル等からなる図柄表示装置１８が配置されている。
【００２９】
ステージ１４は、上面１４ａにおける左下側部に、チューリップ状の電動開閉羽根２３ａと入賞口２３ｂとからなる始動チャッカー（始動入賞口）２３が遊技部品として配置されている。下面１４ｂには、一般入賞口２７，２８，２９、アタッカー（大入賞口）３４、障害物２５，２６、及び、普通図柄作動ゲート（スルーゲート）３１，３２等の遊技部品が配置されている。ステージ１４の最下部には、左右から中央部に向かって下降するように傾斜する傾斜面３３が形成されており、該傾斜面３３の中央部に、ステージ１４に打ち出されて流下してきた遊技球を排出するアウト口３０が形成されている。本パチンコ機１には、ステージ１４において入賞することなく落下してアウト口３０に進入した遊技球を遊技盤３５の背面側に導くアウト球通路（図示せず）が設けられている。
【００３０】
ステージ１４の左下部には、操作レバー状の発射操作装置２の傾動操作に応じて前後左右に傾動動作すると共に、発射ボタン５の押圧操作に応じて遊技球をステージ１４に発射する発射装置１５が配置されている。発射装置１５は、発射ボタン５の押圧操作で発射ノズルから遊技球を打ち出す際、当該遊技球の発射速度が略々均一になるように調整されている。例えば、上面１４ａの左右方向中間における最上部を狙った場合には、放物線を描いて該上面１４ａを上方から下方に舐めるように接しながら該上面１４ａを流下し、また、上面１４ａの左側下部の始動チャッカー２３を狙った場合には、打ち出された遊技球が入賞口２３ｂに直接的に跳び込むようになり、そのやや上方を狙った場合には、上面１４ａを転がりながら上昇し、速度を失った時点から該上面１４ａを流下するようになる。
【００３１】
上記発射操作装置２は、前壁部７２にレバー部４を介して連結された握り部３と、該握り部３の上部に設けられた発射ボタン５と、を有しており、握り部３は、前壁部７２との平行状態から前方向に約４０°の範囲内で、また前壁部７２に対して平行で且つ図１のように直立した状態から右方向に約４０°の範囲内で、自在に傾動動作し得るように構成されている。発射装置１５の発射ノズルは、握り部３の傾動動作に対応して前後方向及び左右方向に傾動動作し得るようにワイヤ（図示せず）で連結されている。なお、図１中の符号３ａは、操作者が握り易いように握り部３に形成された凹部を示している。また、上記握り部３の上記傾動範囲は、上記数値に限定されるものではなく、設計に応じて適宜設定され得るものである。
【００３２】
普通図柄作動ゲート３１，３２は、便宜上、単なる穴として描いているが、始動チャッカー２３を開閉動作させるための抽選の契機となる遊技球通過が行われる遊技部品である。始動チャッカー２３は、大当たり抽選実行の契機となり得る入賞が行われるものであり、電動開閉羽根２３ａが、開放位置と閉止位置とに開閉動作するように始動チャッカー開閉ソレノイド７０（図３参照）によって作動させられる。該始動チャッカー２３の直前方には、所謂命釘としての一対の障害釘（図示せず）が打ち込まれている。一般入賞口２７，２８，２９は、大当たり抽選に寄与しない一般の入賞が行われる。障害物２５，２６は、ステージ１４に打ち出されて流下してくる遊技球Ｂａを当接させてその転動方向や速度を変化させる。
【００３３】
また、アタッカー３４は、大当たり発生時に開放され、ステージ１４に打ち出されて転動する遊技球Ｂａを入賞させるものであり、大当たり発生中、例えば、１回の開放で１０個の入球を完了した時点で閉じ、当該開閉動作を１５回繰り返すように構成される。なお、これら入球数並びに開閉動作の回数は、１０個や１５回に限定されることはなく、必要に応じて適宜設定され得るものである。
【００３４】
そして、上面１４ａ及び下面１４ｂにおける全域には、発射装置１５から発射されて転動する遊技球Ｂａを適宜散らし、或いは入球に導くようにするための多数の障害釘（図示せず）が打ち込まれている。
【００３５】
ついで、本パチンコ機１の背面構造について図２を参照して説明する。同図は、本パチンコ機１の背面構造を示す背面図である。
【００３６】
図２に示すように、パチンコ機１の前扉７の背面における上部左方には、賞球タンク４３が取り付けられており、この賞球タンク４３の下方に、副制御基板３８、主制御基板４８、及び払出し制御基板５１がこの順に配置されている。また、前扉背面における上部右方には、外部端子板５２が取り付けられており、この外部端子板５２の下方に、整列待機通路４５、賞球装置４６、賞球排出通路４７、電源ユニット４１、及び発射装置１５用の発射制御基板５３がこの順に配置されている。パチンコ機１の前扉背面における左側部には、施錠装置１３が配設されている。
【００３７】
次に、本実施形態におけるパチンコ機１の制御系を図３に沿って説明する。なお、同図は本パチンコ機の制御系を示すブロック図である。
【００３８】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、図柄表示装置１８、発射装置１５、及び発射操作装置２と、を備えている。
【００３９】
遊技制御装置５４は、図２に示した主制御基板４８や副制御基板３８等から構成されている。主制御基板４８は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４０】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、表示制御手段６５、及び発射制御手段６６を備えている。
【００４１】
入賞判定手段５５は、発射操作装置２の操作に応じて作動する発射装置１５から発射された遊技球が始動チャッカー２３、一般入賞口２７，２８，２９、アタッカー３４等の何れかに入賞したとき、当該入賞があった旨を判定する。
【００４２】
入賞信号出力手段５６は、入賞判定手段５５によって入賞が判定されたとき、対応する始動チャッカー２３、一般入賞口２７，２８，２９、アタッカー３４等に入賞した旨の入賞信号を出力する。
【００４３】
抽選手段５７は、入賞信号出力手段５６からの始動チャッカー２３に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、乱数値を取得して大当たり抽選を実行する。
【００４４】
そして、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が図柄表示装置１８の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４５】
抽選手段５７はまた、抽選手段５７での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段５７は更に、抽選手段５７での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００４６】
遊技制御手段５９は、放音装置１２、及び演出用照明装置８，１１に放音、発光の演出をさせる契機となる指令を演出制御手段６４に送る。また、遊技制御手段５９は、予め設定された演出データや、抽選手段５７での抽選結果に応じて、図柄表示装置１８に表示すべき演出内容に関する信号を表示制御手段６５に送る。
【００４７】
保留手段６０は、抽選手段５７から出力された変動パターン信号を入力し、変動パターンを、始動チャッカー２３への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定している。これにより、保留球数Ｈが４個表示されている間は、始動チャッカー２３への入賞に拘わらず抽選手段５７による大当たり抽選は行われない。なお、保留球として点灯表示される保留球数は上記「最大４個」に限らず、例えば３個以下、又は５個以上として適宜設定することも可能である。
【００４８】
作動制御手段６１は、作動決定手段６３の作動開始決定の旨の信号に基づき、始動チャッカー開閉ソレノイド７０に駆動信号を送って該ソレノイド７０を作動させ、始動チャッカー２３を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー３４を開放して所定数入賞が終了する（又は所定時間が経過する）毎に閉塞する動作を所定回数（所定ラウンド）だけ繰り返すように制御する。
【００４９】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２３の開閉の「条件を満たす」時とは、抽選手段５７の大当たり抽選とは別途行われる抽選で当選した場合である。アタッカー開閉ソレノイド７１にあって、アタッカー３４の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー３４の閉塞の「条件を満たす」時とは、大当たり発生時における全ての入賞を完了した場合である。
【００５０】
作動決定手段６３は、作動判定手段６２からの判定信号を受けて、始動チャッカー開閉ソレノイド７０、アタッカー開閉ソレノイド７１の作動開始を夫々に決定する。
【００５１】
演出制御手段６４は、遊技制御手段５９からの指令に応答して、放音装置１２を放音駆動し、演出用照明装置８，１１を発光させ、遊技者の聴覚や視覚に訴える演出を行う。
【００５２】
表示制御手段６５は、遊技制御手段５９からの信号に従って、図柄表示装置１８を駆動し、大当たり抽選結果を中心とした内容等の演出を、遊技者の視覚に訴えるように演出表示する。
【００５３】
発射制御手段６６は、発射操作装置２が操作されて発射ボタン５が押圧された際、発射装置１５に備えた不図示のハンマーを作動させ、一定の時間間隔（例えば０．６秒間隔）で遊技球をステージ１４に向けて順次発射する。
【００５４】
また、始動チャッカー開閉ソレノイド７０は、作動制御手段６１から送信された駆動信号に応答してプランジャ（図示せず）を進退動作させて、始動チャッカー２３の電動開閉羽根２３ａを開閉動作させる。アタッカー開閉ソレノイド７１は、作動制御手段６１から送信された駆動信号に応答してプランジャ（図示せず）を進退動作させてアタッカー３４を開閉動作させる。
【００５５】
次に、本パチンコ機１による作用について、図４のフローチャートを併せて参照しつつ説明する。
【００５６】
すなわち、本パチンコ機１に対面して着座した遊技者が発射操作装置２の握り部３を把持して回動操作しつつ発射ボタン５を押圧すると（ステップＳ１）、発射制御手段６６が、握り部３の傾動角度に対応した角度になっている発射装置１５のハンマーを作動させ、遊技球を所定の時間間隔で連続的に発射する。すると、遊技領域３５ａのステージ１４に打ち出される遊技球は、飛ぶ方向やタイミングにより始動チャッカー２３に入賞し、或いは、上面１４ａに当たって流下する際に一般入賞口２７，２８，２９に入賞する。または、これらに関与せずに流下し、ステージ１４最下部のアウト口３０から遊技盤３５の背面側に排出される。
【００５７】
ところで、上述したように始動チャッカー２３や一般入賞口２７，２８，２９の何れかに遊技球Ｂａが入賞した場合、入賞判定手段５５が当該入賞を判定し、且つ入賞信号出力手段５６が入賞信号を出力する（ステップＳ２）。この際、保留手段６０は、保留球数を常時判定しており、０＜Ｈ＜５を満たすと判定したときは、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２３への入賞に応じた大当たり抽選の結果を保留球として記憶し、保留球数を１インクリメントする。
【００５８】
そして、ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００５９】
これにより、ステップＳ４において、図柄表示装置１８に表示されるべき当たり図柄がセットされ、抽選手段５７は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００６０】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、図柄表示装置１８に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００６１】
以上のようにして、遊技制御手段５９が、図柄表示装置１８に表示すべき演出内容に関する信号を、表示制御手段６５に送信することに基づき、表示制御手段６５は、図柄表示装置１８を適時駆動し、大当たり抽選結果に関する内容等を、遊技者の視覚に訴えるように演出表示することとなる（ステップＳ５）。
【００６２】
そして、図柄表示装置１８の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー３４を開放し、所定数入賞が終了する（又は所定時間が経過する）毎に閉塞する動作を所定回数（所定ラウンド）だけ繰り返させる。これにより、アタッカー３４に入賞した遊技球に対応する多量の遊技球が球供給口１７から皿ユニット１６に払い出されることとなる（ステップＳ６）。
【００６３】
ところで、以上の本実施形態では、ステージ１４を遊技領域３５ａの略々全域に設けたことにより、該ステージ１４を広く使って遊技時の迫力を増大したが、これに限らず、ステージ１４を遊技領域３５ａの一部に設けるように変形させることも可能である。
【００６４】
すなわち、この変形例におけるステージ１４は、図５に示すように、図１のステージ１４よりも上下方向が短く形成され、遊技領域３５ａの略々全域ではなく、遊技領域３５ａの上側に寄せて配置される。そして、図１ではステージ１４に直接設けられていた始動チャッカー２３、普通図柄作動ゲート３１，３２、アタッカー３４を、遊技領域３５ａのステージ１４以外の部位である該ステージ１４の下方に、始動チャッカー（始動入賞口）４０、普通図柄作動ゲート（スルーゲート）３６，３７、アタッカー（大入賞口）４９としてそれぞれ配置している。これらは、始動チャッカー４０の左右に普通図柄作動ゲート３６，３７が位置し、始動チャッカー４０の下方にアタッカー４９が位置する形で設けられる。また、図１における傾斜面３３及びアウト口３０は、図５では傾斜面５８及びアウト口５０としてアタッカー４９の下方にそれぞれ設けられる。
【００６５】
図５において、湾曲状の上面１４ａにおける左右側部には、遊技部品としての一般入賞口６９，７３がそれぞれ設けられ、平坦状の下面１４ｂには、遊技部品としての一般入賞口７６，７７，７９，８０が設けられている。また、図１における障害物２５，２６は、図５では障害物７８，８１として同様の位置に配置されている。更に、図柄表示装置１８の前側には、ワープ導入口８２ａ，８３ａ，８４ａが形成されており、普通図柄作動ゲート３６，３７及び始動チャッカー４０の上部には、これら導入口８２ａ，８３ａ，８４ａに連通する球放出口８２ｂ，８３ｂ，８４ｂがそれぞれ形成されている。
【００６６】
このような変形例では、ステージ１４が遊技領域３５ａの一部に設けられるので、ステージ１４上で一連の動作をした遊技球のうち、該ステージ１４から流下した遊技球に、鉛直方向での別の動きをさせることができる。また、遊技領域３５ａのステージ１４以外の部位における該ステージ１４下方に、始動チャッカー４０、普通図柄作動ゲート３６，３７、アタッカー４９等の遊技部品を配置したので、ステージ１４上で一連の動作をした遊技球のうち、該ステージ１４から流下した遊技球を、始動チャッカー４０に入賞させたり、アタッカー４９に入賞させたりして、異なる遊技をさせることができる。
【００６７】
以上説明した第１実施形態及び変形例では、遊技領域３５ａに、該遊技領域３５ａの奥方向に膨出して全体的に略々ドーム形状をなすステージ１４を備えるので、奥行きをもった盤面構造を実現したことで、遊技球の通過領域が広がり、また、打ち出された遊技球の流れる方向が、従来のような上方から下方への流れだけでなく斜め方向も加わることで、遊技球の盤面滞在時間が長くなって遊技性が向上すると共に、新奇な遊技球の動きが実現されて興趣が一層高まる。
【００６８】
また、ステージ１４における上面１４ａが湾曲状に且つ下面１４ｂが平坦状に形成されるので、上面１４ａでは遊技球を滑らかに流下させ、下面１４ｂでは平坦路を流下させる、というように遊技球の流れに変化を付けることができる。そして、図１においては、ステージ１４が、一般入賞口２７，２８，２９、始動チャッカー２３、アタッカー３４、及び障害物２５，２６等の遊技部品を、上面１４ａを含む全域に備えるので、ステージ１４に打ち出した遊技球に種々の変化を与えながら流下させつつ始動チャッカー２３等に入賞させる、パチンコ機としての機能を十分に発揮させることができる。なお、第１の実施形態及び変形例では、上面１４ａを湾曲状に形成し、かつ下面１４ｂを平坦状に形成したが、これに限らず、ステージ１４の上面１４ａ及び下面１４ｂの双方を湾曲状に形成することも可能である。
【００６９】
＜第２の実施形態＞
ついで、本発明に係る遊技機を雀球遊技機に適用した第２の実施形態について説明する。図６は、第２の実施形態における雀球遊技機６７を示す斜視図である。
【００７０】
図６に示すように、雀球遊技機６７は、遊技機本体の前面部に、遊技領域３５ａ、操作パネル７４、該操作パネル７４の右側下部の前壁部９８に位置する発射操作装置２、メダル受け皿９１、音声や効果音（以下、一括して音声という）を出力する放音装置９０、ランプ装置８５を有している。なお、符号６８ａは、遊技機本体に対して開閉可能に支持された前扉を、符号８６はメダル投入部を、符号８７はリジェクトボタンを、符号８９は、画像表示装置７５上に表示される手牌としての麻雀牌図柄を捨て牌操作等するための操作ボタンを、それぞれ示している。
【００７１】
遊技領域３５ａには、ステージ１４の上面１４ａ及び下面１４ｂの双方が湾曲状に形成されたステージ１４が配置されている。そして、該ステージ１４の下部には、複数の牌種からなる麻雀牌の図柄に対応する複数の入球口９９…が配設されている。これら入球口９９…には、「一萬」、「二萬」、「三萬」というように、所要の麻雀牌図柄が順次表示されている。また、ステージ１４には、入球口９９…のうちの定められたものに対して直接的に遊技球を導く複数の導入口９２，９３，９４，９５，９６，９７が形成されている。
【００７２】
このような雀球遊技機６７では、遊技領域３５ａに打ち出された遊技球の入球口９９への入球で得られた手牌図柄の組合せにより、予め設定された複数の上がり役のうちの少なくとも１つを完成させるように遊技される。なお、本実施形態では、上面１４ａ及び下面１４ｂの双方を湾曲状にしたステージ１４を採用したが、これに限らず、図１や図５と同様に、下面１４ｂを平坦状に形成したステージ１４を採用することも可能である。
【００７３】
本雀球遊技機６７においても、前述したパチンコ機１と同様、発射操作装置２の発射ボタン５を押込み操作しつつ握り部３を傾動操作することで、発射装置１５の発射ノズルのステージ１４に対する角度を変更しながら遊技球を打ち出す。これにより、上面１４ａに当てて流下させ、導入口９２〜９７の何れかを介して入球口９９…に入球させ、或いは、上面１４ａ及び下面１４ｂを流下させて入球口９９…に入球させて、雀球遊技を進める。
【００７４】
本雀球遊技機６７によると、前述したパチンコ機１と略々同様に、遊技球の通過領域が広がり、打ち出された遊技球の流れる方向に多彩な変化がもたらされ、新奇な遊技球の動きが実現されて興趣が一層高まる等の効果が得られる。また、ステージ１４における上面１４ａ及び下面１４ｂの双方が湾曲状に形成されたことで、全体的にドーム状のステージ１４として構成されることで、ステージ１４の上面１４ａめがけて打ち出された遊技球が、まんべんなく滑らかに上面１４ａから流れ落ちる。また、本発明に係る遊技機を雀球遊技機６７に適用したことで、使用可能な奥行きを十分に確保することができ、従来には無い遊技球の動きを表現し、興趣を更に高めることができるようになる。
【００７５】
ここで、図１に沿って説明した第１実施形態のパチンコ機１の変形例を図７に沿って説明するが、本変形例は、図１の第１実施形態に比し、発射操作装置２及び発射装置１５を変更し、かつステージ１４にガイド部材９１を付設した点が異なるだけで、他の部分は略々同一なので、主要部分に同一符号を付してその説明は省略する。
【００７６】
すなわち、図７に示すように、本変形例では、図１の発射操作装置２に代えて、従来通りの発射ハンドル８４を備え、傾動動作する発射装置１５に代えて、遊技領域３５ａに対する発射方向が固定された発射装置８８を備えており、ステージ１４の上部にガイド部材９１を備えている。このガイド部材９１は、遊技領域３５ａ側からステージ１４側に遊技球Ｂａを通過させ得る程度の、遊技領域前後方向の隙間を有している。
【００７７】
このような変形例によると、発射ハンドル８４の操作で、固定式の発射装置８８から発射された遊技球Ｂａは、遊技領域３５ａに沿って転動し、ガイド部材９１を介してステージ１４へ誘導される。つまり、従来の通りの発射方向が固定された発射装置８８を使用しても、遊技球Ｂａがガイド部材９１によってステージ１４へ流下可能となるので、先の第１の実施形態と略々同様の作用効果を得ることができる。その場合、たとえイレギュラーでステージ１４側に遊技球が直接的に飛び込んだとしても、当該遊技球は、ガイド部材９１の下縁部に当たる等でステージ１４から上方への飛び出しを規制されてステージ１４側に戻され、従って、遊技に支障が出ることはない。
【００７８】
なお、上述した第１及び第２の実施形態並びに変形例において、遊技領域全体をステージ１４で構成することも可能である。
【００７９】
以上、本発明をその好適な実施形態及び変形例に基づいて説明したが、本発明の遊技機は、上記実施形態及び変形例の構成にのみ限定されるものではなく、上記実施形態及び変形例の構成から種々の修正及び変更を施した遊技機も、本発明の範囲に含まれる。
【図面の簡単な説明】
【００８０】
【図１】本発明に係る第１の実施形態におけるパチンコ機の外部構造を示す正面図である。
【図２】本実施形態におけるパチンコ機の背面構造を示す背面図である。
【図３】本パチンコ機の制御系を示すブロック図である。
【図４】本パチンコ機の作用を説明するためのフローチャートである。
【図５】ステージの変形例を示す斜視図である。
【図６】本発明に係る第２の実施形態における雀球遊技機の外部構造を示す斜視図である。
【図７】本パチンコ機の変形例を示す正面図である。
【符号の説明】
【００８１】
１，６７    遊技機（パチンコ機、雀球遊技機）
１４    ステージ
１４ａ    上面
１４ｂ    下面
１５    発射装置
２３，４０    始動入賞口（始動チャッカー）
２５，２６    障害物
２７，２８，２９    一般入賞口
３４，４９    大入賞口（アタッカー）
３５    遊技盤
３５ａ    遊技領域
９９    入球口
【図１】
2008220591.tif 000003
【図２】
2008220591.tif 000004
【図３】
2008220591.tif 000005
【図４】
2008220591.tif 000006
【図５】
2008220591.tif 000007
【図６】
2008220591.tif 000008
【図７】
2008220591.tif 000009